(57)【要約】【課題】  １つのポールで様々な住宅の敷地に合った設置が可能な機能ポールの提供。【解決手段】  第１の側面１と、第１の側面１に対して傾斜した第２及び第３の側面２，３を備え、第１の側面１を正面にしたときに見込み寸法ｂが見付け寸法ａよりも小さく、敷地の状況に応じて任意の向きで設置可能であると共に、第１〜第３の側面１〜３にインターホンやポスト等の機能部品７，８，９，１０を選択的に取付け可能である。【選択図】      図１
2011117125.tif 000002
【特許請求の範囲】
【請求項１】
第１の側面と、第１の側面に対して傾斜した第２及び第３の側面を備え、第１の側面を正面にしたときに見込み寸法が見付け寸法よりも小さく、敷地の状況に応じて任意の向きで設置可能であると共に、第１〜第３の側面にインターホンやポスト等の機能部品を選択的に取付け可能であることを特徴とする機能ポール。
【請求項２】
第１の側面と第２の側面とのコーナー部、第１の側面と第３の側面とのコーナー部に傾斜面をそれぞれ有し、第２及び第３の側面と傾斜面との成す角度が９０°以下であることを特徴とする請求項１記載の機能ポール。
【請求項３】
第２の側面と第３の側面との成す角度が９０°であり、第２の側面と第３の側面との間に第１の側面と平行な第４の側面を有し、第４の側面にも機能部品を取付け可能であることを特徴とする請求項１又は２記載の機能ポール。
【発明の詳細な説明】
【技術分野】
【０００１】
本発明は、住宅の門から玄関までのアプローチ等に設けられる機能ポールに関する。
【背景技術】
【０００２】
近年の住宅では、門から玄関までのアプローチや玄関先などに、インターホンやポスト等を備えた機能ポールがよく設置される。従来の機能ポールは、断面が正方形や長方形の柱状のものが主流であった。
玄関へのアプローチの形態は家ごとにまちまちであり、例えば図１０（ａ）に示すように、短いストレートなアプローチ１４もあれば、図１０（ｂ）に示すように、塀１６等と家とに挟まれた幅が狭く長いアプローチ１４や、図１０（ｃ）に示すように、家に沿ってＬ字型に曲がったアプローチ１４もある。従来の正方形や長方形断面の機能ポールでは、単一の機能ポールでそのような様々な敷地の状況に対応するのは困難であり、デザインの異なる多種類のものから敷地の状態に適したものを適宜選択して設置していた。また図１１に示すように、塀１６等と家に挟まれた狭いアプローチ１４に四角形断面の機能ポールを設置する場合に、機能ポールを正面に向けてまっすぐに設置するとインターホン等の操作が非常にしづらくなるため、機能ポール９０の正面が斜め前方を向くように傾けて設置し、敷地に無理矢理合わせていた。
【０００３】
多角形断面の機能ポールとしては、特許文献１に示すような、山形となった一方及び他方の傾斜面と、各傾斜面から家側に向けて連続した左右の見込み面を有し、各傾斜面と見込み面とにインターホン等を取り付け可能とした、二世帯住宅用のものがあった。しかしこの機能ポールは、せいぜい前後を逆に設置することで一世帯住宅にも対応できるぐらいで、様々な敷地の状況に対応できるものではなかった。
【先行技術文献】
【特許文献】
【０００４】
【特許文献１】特開２００２−３４９１６５号公報
【発明の概要】
【発明が解決しようとする課題】
【０００５】
本発明は以上に述べた実情に鑑み、１つのポールで様々な住宅の敷地に合った設置が可能な機能ポールの提供を目的とする。
【課題を解決するための手段】
【０００６】
上記の課題を達成するために請求項１記載の発明による機能ポールは、第１の側面と、第１の側面に対して傾斜した第２及び第３の側面を備え、第１の側面を正面にしたときに見込み寸法が見付け寸法よりも小さく、敷地の状況に応じて任意の向きで設置可能であると共に、第１〜第３の側面にインターホンやポスト等の機能部品を選択的に取付け可能であることを特徴とする。
【０００７】
請求項２記載の発明による機能ポールは、請求項１記載の発明の構成に加え、第１の側面と第２の側面とのコーナー部、第１の側面と第３の側面とのコーナー部に傾斜面をそれぞれ有し、第２及び第３の側面と傾斜面との成す角度が９０°以下であることを特徴とする。
【０００８】
請求項３記載の発明による機能ポールは、請求項１又は２記載の発明の構成に加え、第２の側面と第３の側面との成す角度が９０°であり、第２の側面と第３の側面との間に第１の側面と平行な第４の側面を有し、第４の側面にも機能部品を取付け可能であることを特徴とする。
【発明の効果】
【０００９】
請求項１記載の発明による機能ポールは、第１の側面を正面に向けて設置することで、短くストレートなアプローチ等に適したものになり、細く長いアプローチやＬ形のアプローチ等の狭小地に設置する場合には、第２の側面又は第３の側面を正面に向けて設置したり、第１の側面を見込み方向に対して平行に設置したりすることで、狭小地に合ったスリムな設置が可能である。さらに、第１の側面を背面に向けて設置し、第２及び第３の側面にインターホンや表札等をそれぞれ取付けることで、二世帯住宅用の機能ポールとすることもできる。また、塀等と家に挟まれた狭いアプローチに設置する場合に、第１の側面を塀等に沿わせて設置し、傾斜した第２又は第３の側面にインターホン等の機能部品を取付けることで、インターホン等の操作がしやすくなる。
【００１０】
請求項２記載の発明による機能ポールは、第１の側面と第２の側面とのコーナー部、第１の側面と第３の側面とのコーナー部に傾斜面をそれぞれ有し、第２及び第３の側面と傾斜面との成す角度が９０°以下であることで、機能ポールをスリム化し意匠性を高める効果があり、特に第２の側面または第３の側面を正面に向けて設置した場合に、コーナー部が出っ張らず且つ傾斜面が正面から見えないため、狭小地への設置が一層容易になると共にスリムで意匠性の良い機能ポールになる。
【００１１】
請求項３記載の発明による機能ポールは、第２の側面と第３の側面との成す角度が９０°であることで、第２の側面又は第３の側面を正面に向けて設置する場合に、これらの側面を利用してインターホンやポスト等を直角に取付けできるので都合が良く、さらに第２の側面と第３の側面との間に第１の側面と平行な第４の側面を有しているので、第１の側面を見込み方向に沿って設置した場合に機能ポールの見付け寸法がよりスリムになり、しかも第４の側面にも機能部品を取付け可能であるため、敷地の状況に対する自由度がより一層高められる。
【図面の簡単な説明】
【００１２】
【図１】（ａ）は本発明の機能ポールの一実施形態を示す平面図であり、（ｂ）は同正面図である。
【図２】（ａ）は本発明の機能ポールの第１使用状態を示す平面図であり、（ｂ）は同斜視図である。
【図３】（ａ）は本発明の機能ポールの第２使用状態を示す平面図であり、（ｂ）は同斜視図である。
【図４】（ａ）は本発明の機能ポールの第３使用状態を示す平面図であり、（ｂ）は同斜視図である。
【図５】（ａ）は本発明の機能ポールの第４使用状態を示す平面図であり、（ｂ）は同斜視図である。
【図６】（ａ）は本発明の機能ポールの第５使用状態を示す平面図であり、（ｂ）は同斜視図である。
【図７】（ａ）は本発明の機能ポールの第６使用状態を示す平面図であり、（ｂ）は同斜視図である。
【図８】第２使用状態の機能ポールの設置例を示す平面図である。
【図９】第４使用状態の機能ポールの設置例を示す平面図である。
【図１０】住宅の見取り図である。
【図１１】従来の機能ポールの設置例を示す平面図である。
【発明を実施するための形態】
【００１３】
以下、本発明の実施の形態を図面に基づいて説明する。図１は本発明の機能ポール１１の一実施形態を示しており、図２〜７はこの機能ポール１１の使用状態の例を示している。
本機能ポール１１は、図１に示すように、第１の側面１と、第１の側面１に対して傾斜した第２及び第３の側面２，３を備える。第１の側面１と第２の側面２との成す角度α、第１の側面１と第３の側面３との成す角度αは、いずれも４５°となっており、第２の側面２と第３の側面３とのなす角度βは９０°である。第１の側面１と第２の側面２とのコーナー部５、第１の側面１と第３の側面３とのコーナー部５は、それぞれ傾斜面６，６により面取りしてある。第２の側面２と傾斜面６との成す角度γ、第３の側面３と傾斜面６との成す角度γは、いずれも９０°よりも小さい角度（６７°）となっている。さらに、第２の側面２と第３の側面３との間には、第１の側面１と平行な第４の側面４を備える。第１の側面１を正面としたときの見付け寸法ａは２００ｍｍ、見込み寸法ｂは９０ｍｍである。また、第２の側面２又は第３の側面３を正面にしたときの見付け寸法ｃは約１４０ｍｍである。本機能ポール１１は、アルミニウム合金の押出形材で中空状に形成され、上面に蓋体１２を取付けてある。
【００１４】
本機能ポール１１は、以上に述べたような特殊な多角形の断面形状となっており、向きを変えて設置し、インターホン等の機能部品を各側面１〜４に選択的に取付けることで、住宅の敷地の状況に応じて多様な使用状態を選択できる。
【００１５】
図２は本機能ポール１１の第１使用状態を示しており、第１の側面１を正面に向けて設置し、第１の側面１に門灯７、表札８、インターホン９、ポスト１０を取付けている。この使用状態は、機能ポール１１の見付け寸法ｘ（＝ａ）が２００ｍｍと一番大きくなり、見込寸法ｙ（＝ｂ）が９０ｍｍと一番小さくなる。したがって、正面から見てどっしりした感じになる。この使用状態は、図１０（ａ）に示すように、玄関が道路と近くアプローチ１４が短い場合に好適である。
【００１６】
図３は本機能ポール１１の第２使用状態を示しており、第２の側面２を正面に向けて設置し、第２の側面２に門灯７とインターホン９を取付け、第２の側面２と直角な第３の側面３に表札８とポスト１０を取付けている。この使用状態では、機能ポール１１の見付け寸法ｘ（＝ｃ）が約１４０ｍｍと第１使用状態よりも小さくなり（見込み寸法ｙは見付け寸法ｘと同じ）、スリムな印象になる。この使用状態は、図８に示すように、玄関１３へのアプローチ１４が家１５と塀１６等に挟まれ、人の動線がＬ字形に曲がっているようなスペースに設置する場合に適している。本機能ポール１１は、第１の側面１と第２の側面２とのコーナー部５が傾斜面６で面取りしてあり、且つ第２の側面２と傾斜面６との成す角度γが９０°より小さいことで、このように斜めに傾けて設置すると傾斜面６が正面から見えずスリムになり、狭小地への設置を一層容易にしている。なお、第３の側面３を正面に向ければ、左右勝手違いになる。表札８は、正面の第２の側面２に取付けることもできる。
【００１７】
図４は本機能ポール１１の第３使用状態を示しており、第２の側面２を正面に向けて設置し、第２の側面２に門灯７とインターホン９とポスト１０を取付け、第３の側面３に表札８を取付けている。この使用状態は、第２使用状態と同様に、機能ポール１１の見付け寸法ｘが小さくスリムな印象になり、またポスト１０を正面の第２の側面２に取付けることで全体の奥行き寸法も抑えられる。なお、第３の側面３を正面に向ければ、左右勝手違いになる。表札８は、正面の第２の側面２に取付けることもできる。
【００１８】
図５は本機能ポール１１の第４使用状態を示しており、第１の側面１を見込み方向と平行に設置し、第２の側面２に門灯７とインターホン９を取付け、第４の側面４に表札８とポスト１０を取付けている。本使用状態では、機能ポール１１の見付け寸法ｘ（＝ｂ）が第２・第３使用状態よりもさらに小さく９０ｍｍとなり、幅の狭いスペースへの設置も容易である。特に図９に示すように、玄関１３へのアプローチ１４が塀１６等と家１５とに挟まれて狭くなっている場合に、第１の側面１を塀１６等に沿わせて設置するのに有効であり、インターホン９が斜め前を向いて取付けられるため、インターホン９の操作がしやすい。機能ポール１１の向きを１８０°回転して設置すれば、左右勝手違いになる。
【００１９】
図６は本機能ポール１１の第５使用状態を示しており、ポスト１０を第１の側面１に取付けている点が第４使用状態と異なっている。本使用状態によれば、第４使用状態のときと同様に機能ポール１１の見付け寸法ｘを極力小さくでき、また塀１６等に沿わせて設置した場合でもインターホン９の操作がしやすい。
【００２０】
図７は本機能ポール１１の第６使用状態であって、二世帯住宅用としたものを示している。本使用状態は、第４の側面４を正面に向けて設置し、第２の側面２と第３の側面３とに門灯７とインターホン９をそれぞれ取付け、第１の側面１より表札８を左右に突出して取付けている。また、機能ポール１１の左右両脇にポスト１０が取付金具（図示省略）により取付けてある。本使用状態によれば、二世帯のインターホン９等を左右に振り分けて体裁良く取り付けでき、インターホン９等の視認性・操作性が良好で、来訪者が世帯を間違えることもない。
【００２１】
以上に述べたように本機能ポール１１は、敷地の状況に応じて適宜向きを変えて設置し、インターホン等の機能部品７，８，９，１０を第１〜第４の側面１〜４に選択的に取付けることで、敷地の状況に合った使用状態を一つの機能ポール１１でまかなうことができる。いずれの使用状態を選択した場合でも意匠性が良好で、機能部品７，８，９，１０を使いやすい状態で効率良く取付けできる。
【００２２】
本発明は以上に述べた実施形態に限定されない。インターホン等の機能部品７，８，９，１０の取付け方は、適宜変更することができる。第１の側面１と第２・第３の側面２，３との成す角度αを違わせたもの、第１の側面１と第２・第３の側面２，３とのコーナー部５をＲ状に面取りしたもの、第２の側面２と第３の側面３との成す角度βが直角でないものであってもよい。
【符号の説明】
【００２３】
１  第１の側面
２  第２の側面
３  第３の側面
４  第４の側面
５  コーナー部
６  傾斜面
７  門灯（機能部品）
８  表札（機能部品）
９  インターホン（機能部品）
１０  ポスト（機能部品）
１１  機能ポール
ａ  第１の側面を正面にしたときの見付け寸法
ｂ  第１の側面を正面にしたときの見込み寸法
α  第１の側面と第２・第３の側面との成す角度
β  第２の側面と第３の側面との成す角度
γ  第２・第３の側面と傾斜面との成す角度
【図１】
2011117125.tif 000003
【図２】
2011117125.tif 000004
【図３】
2011117125.tif 000005
【図４】
2011117125.tif 000006
【図５】
2011117125.tif 000007
【図６】
2011117125.tif 000008
【図７】
2011117125.tif 000009
【図８】
2011117125.tif 000010
【図９】
2011117125.tif 000011
【図１０】
2011117125.tif 000012
【図１１】
2011117125.tif 000013